(57)【要約】【課題】空気調和機に供給される３相交流電源の位相状態を検出することにより、空気調和機の非正常的駆動を防止し、空気調和機の信頼性を向上し得る位相状態検出装置及びその方法を提供する。【解決手段】３相交流電源の第１、第２及び第３位相を検出する位相検出部２１と、上記の第３位相に対応するパルス信号の下降エッジを検出して第３位相によってインタラプトが発生されたと認識してカウント信号を発生するインタラプト検出部２３と、第３位相を基準に上記の第１及び第２位相に対応するパルス信号をカウントするカウンタ部２２と、”正常結線”状態又は”逆相”状態を検出し、また上記のインタラプトをカウントした回数に基づいて”欠相”状態を検出する逆相／欠相検出部２４と、”逆相”、”欠相”又は”正常結線”の各状態を示すメッセージを表示する表示部２５と、から位相状態検出装置を構成する。【選択図】　　　図１
2004138600.tif 000002
【特許請求の範囲】
【請求項１】
３相交流電源の第１、第２及び第３位相をそれぞれ検出する位相検出部と、
前記の検出された第１、第２及び第３位相中、前記第３位相に対応するパルス信号の下降エッジを検出して該下降エッジが検出される時、前記第３位相によってインタラプトが発生されたと認識した後、カウント信号を発生するインタラプト検出部と、
前記カウント信号により、前記インタラプトが発生された第３位相を基準に前記第１及び第２位相に対応する前記パルス信号をカウントするカウンタ部と、
前記カウンタ部によってカウントされた前記第１及び第２位相に対応するパルス信号に基づいて”正常結線”状態又は”逆相”状態を検出し、前記インタラプトをカウントした回数に基づいて”欠相”状態を検出する逆相／欠相検出部と、
前記逆相／欠相検出部の出力信号により、前記”逆相”状態、”欠相”状態又は”正常結線”状態をそれぞれ表示するエラー又は正常状態表示部と、を包含して構成されることを特徴とする位相状態検出装置。
【請求項２】
前記逆相／欠相検出部は、
前記カウンタ部によってカウントされた第１及び第２位相に対応するパルス信号が、前記インタラプトが発生したときにそれぞれ予め定められたハイ、ローの順に予め決定された回数以上前記逆相／欠相検出部に入力されると、”正常結線”状態と判断し、前記第１及び第２位相に対応するパルス信号が前記インタラプトが発生したときにそれぞれロー、ハイの順に予め決定された回数以上入力されるか、又はハイ、ハイの順に入力されると、”逆相”と判断し、前記インタラプトをカウントした回数が予め決定された回数未満であると、”欠相”と判断することを特徴とする請求項１に記載の位相状態検出装置。
【請求項３】
前記位相検出部は、
前記逆相又は欠相状態である時、空気調和機の全ての装置の動作を停止させるために、前記空気調和機に供給される３相交流電源を遮断することを特徴とする請求項１に記載の位相状態検出装置。
【請求項４】
前記”正常結線”は、３相交流電源の端子とマルチ空気調和機の電源入力端子とが正常に接続された状態を示し、
前記”逆相”は、３相交流電源のＲ相端子、Ｓ相端子及びＴ相端子が相互に入れ替って前記マルチ空気調和機の電源端子と接続された状態を示し、
前記”欠相”は、前記３相交流電源の端子のいずれか一つ以上の端子が前記マルチ空気調和機の電源端子と接続されず、３相交流電源が前記マルチ空気調和機に供給されない状態を示すことを特徴とする請求項１に記載の位相状態検出装置。
【請求項５】
３相交流電源の第１、第２及び第３位相を検出し、また遮断信号によって前記空気調和機の全ての装置の動作を停止させるために入力される３相交流電源を遮断する位相検出部と、
前記の検出された第１、第２及び第３位相中、前記第３位相に対応するパルス信号の下降エッジを検出して該下降エッジが検出される時、前記第３位相によってインタラプトが発生されたと認識して、カウント信号を発生するインタラプト検出部と、
前記カウント信号により、前記インタラプトを発生した第３位相を基準に前記第１及び第２位相に対応する前記パルス信号をカウントするカウンタ部と、
該カウンタ部によってカウントされた前記第１及び第２位相に対応するパルス信号が、前記インタラプトが発生したときにそれぞれ予め定められたハイ、ローの順に予め決定された回数以上入力されると、”正常結線”と判断し、前記第１及び第２位相に対応するパルス信号が前記インタラプトが発生したときにそれぞれロー、ハイの順に予め決定された回数以上入力されるか、又はハイ、ハイの順に入力されると、”逆相”と判断し、前記インタラプトをカウントした回数が予め決定された回数未満であると、”欠相”と判断し、前記”逆相”又は”欠相”状態の時、前記遮断信号を発生する逆相／欠相検出部と、
前記逆相／欠相検出部の出力信号により、前記”逆相”状態又は”欠相”状態を示すエラーメッセージを画面上に表示し、前記”正常結線”状態を示す正常メッセージを画面上に表示するエラー又は正常状態表示部と、を包含して構成されることを特徴とする位相状態検出装置。
【請求項６】
３相交流電源の第１、第２及び第３位相を夫々検出する段階と、前記第１、第２及び第３位相中、第３位相に対応するパルス信号の下降エッジを検出して該下降エッジが検出されると、インタラプトが発生されたと認識する段階と、
前記第３位相によってインタラプトが発生される時、前記第１及び第２位相に対応するパルス信号を読む段階と、
前記インタラプトを発生した第３位相を基準に前記第１及び第２位相に対応するパルス信号に基づいて”正常結線”又は”逆相”状態を判断し、前記インタラプトをカウントした回数に基づいて”欠相”状態を判断する段階と、
前記”逆相”、”欠相”又は”正常結線”状態を夫々示すメッセージを画面上に表示する段階と、を包含すること特徴とする位相状態検出方法。
【請求項７】
前記判断する段階は、
前記インタラプトを発生した第３位相を基準に前記第１及び第２位相に対応するパルス信号が、前記インタラプトが発生したときにそれぞれ予め定められたハイ、ローの順に予め設定された回数以上出力されると、”正常結線”と判断し、前記第１及び第２位相がロー、ハイの順に前記予め設定された回数以上出力されるか、又はハイ、ハイ順に出力されると、”逆相”と判断する段階と、
前記インタラプトの発生回数をカウントし、該インタラプトをカウントした回数が予め設定された回数未満であると、”欠相”と判断する段階と、を包含することを特徴とする請求項６に記載の位相状態検出方法。
【請求項８】
３相交流電源の第１、第２及び第３位相を夫々検出する段階と、
前記第１、第２及び第３位相中、前記第３位相に対応するパルス信号の下降エッジを検出して該下降エッジが検出されると、インタラプトが発生されたと認識する段階と、
前記第３位相によってインタラプトが発生される時、前記第１及び第２位相に対応するパルス信号を読む段階と、
前記インタラプトを発生した第３位相を基準に前記第１及び第２位相に対応するパルス信号が、前記インタラプトが発生されたときにそれぞれ予め定められたハイ、ローの順に予め設定された回数以上出力されると、”正常結線”と判断し、前記第１及び第２位相がそれぞれロー、ハイ順に前記予め設定された回数以上出力されるか、又はハイ、ハイ順に出力されると、”逆相”と判断する段階と、
前記インタラプトの発生回数をカウントして該カウントした回数が予め設定された回数未満であると、”欠相”と判断する段階と、
前記”逆相”又は”欠相”と判断されると、マルチ空気調和機の全ての装置の動作を停止させた後、逆相／欠相状態を示すエラーメッセージを画面上に表示し、または、前記”正常結線”状態と判断されると、正常結線状態を示す正常メッセージを前記画面上に表示する段階と、を包含することを特徴とする位相状態検出方法。
【発明の詳細な説明】
【０００１】
【発明の属する技術分野】
本発明は交流電源の位相状態検出装置及びその検出方法に係るもので、詳しくは、マルチ空気調和機（ｍｕｌｔｉ　ａｉｒ−ｃｏｎｄｉｔｉｏｎｅｒ）に供給される交流電源の位相状態（ｐｈａｓｅ　ｓｔａｔｅ）を検出する装置及びその検出方法に関するものである。
【０００２】
【従来の技術】
一般に、マルチ空気調和機は一つの室外機と多数の室内機とから構成される。
【０００３】
図５は従来の空気調和機の構成を示した概略ブロック図で、図示されたように、従来の空気調和機は、室内熱交換機８から吐出される低温／低圧の冷媒蒸気を吸入して圧縮することによって高温／高圧の蒸気に変換する圧縮機６と、圧縮機６から吐出された高温／高圧の冷媒蒸気を高圧の飽和液（飽和した液体）に変化させる室外熱交換機（ｏｕｔｄｏｏｒ　ｈｅａｔ　ｅｘｃｈａｎｇｅｒ）３と、室外熱交換機３から吐出された高圧の飽和液を、膨脹装置（ｅｘｐａｎｓｉｏｎ　ｄｅｖｉｃｅ）２によって低温／低圧の冷媒に変換した後、これを蒸発させて液分（液体成分）のない飽和蒸気に変換する室内熱交換機（ｉｎｄｏｏｒ　ｈｅａｔ　ｅｘｃｈａｎｇｅｒ）８と、暖房モード又は冷房モードによって冷媒の流れを調節する四方弁（ｆｏｕｒ−ｗａｙ　ｖａｌｖｅ）５と、除湿モードのとき（湿気を除去するとき）、高圧の冷媒を室内熱交換機８に吐出すための二方弁（ｔｗｏ−ｗａｙ　ｖａｌｖｅ）１とから構成される。
【０００４】
また、室内熱交換機８は、除湿モードの際、高圧の液体とガスとが混合された冷媒を吸入し、この吸入した冷媒に含まれた熱を放出させて高圧の液体を吐出す第１熱交換機８−１と、第１熱交換機８−１によって吐出された高圧の液体を低圧の液体にする膨脹装置８−２と、膨脹装置８−２によって得られる低圧の液体とガスとが混合された冷媒を吸入して蒸発させ、液体成分のない低温／低圧の冷媒を吐出す第２熱交換機８−４と、除湿モードの際、第１熱交換機８−１から吐出される高圧の液体が直接第２熱交換機８−４に吐出されないように、第１熱交換機８−１から吐出される高圧の液体を遮断する二方弁８−３とから構成される。また、室内熱交換機８には室内ファン７が装着され、室外熱交換機３には室外ファン４が装着される。
【０００５】
以下、このような従来の空気調和機の動作について説明する。
【０００６】
まず、暖房モードの際、圧縮機６によって圧縮された高温／高圧の冷媒は、四方弁５を通して室内熱交換機８に流入して凝縮された後、膨脹装置２によって低温／低圧の冷媒に変換される。このとき、室内ファン７によって吸入された室内空気が室内熱交換機８の表面を通過しながら熱交換されて熱い空気が室内に噴出されるために室内の温度が上昇する。また、室内熱交換機８は、第１熱交換機８−１と第２熱交換機８−４との間の二方弁８−３をオープンさせ、室内熱交換機８が凝縮機（図示せず）として動作するようにする。
【０００７】
次いで、室外熱交換機３は、上記の低温／低圧の冷媒を吸入し、これを蒸発させて気体状態の冷媒を吐出し、圧縮機６は、室外熱交換機３から吐出される気体状態の冷媒を吸入して高温／高圧の冷媒に圧縮する。このような動作を繰り返して遂行することにより暖房運転を行う。
【０００８】
一方、冷房モードの際は、圧縮機６によって圧縮された高温／高圧の冷媒が、四方弁５を通して室外熱交換機３に流入して凝縮された後、膨脹装置２によって低温／低圧の冷媒に変換される。
【０００９】
次いで、室内熱交換機８は、上記の低温／低圧の冷媒を吸入して蒸発させることで気体状態の冷媒を吐出し、圧縮機６は、室内熱交換機８から吐出される気体状態の冷媒を吸入して高温／高圧の冷媒に圧縮する。このとき、室内熱交換機８は、第１熱交換機８−１と第２熱交換機８−４との間の二方弁８−３をオープンさせ、室内熱交換機８が蒸発機として動作するようにする。
【００１０】
ここで、室内ファン７によって吸入された室内空気は、室内熱交換機８の冷たくなった表面を通過しながら熱交換されて冷たい空気が室内に噴出されるために室内の温度が下降する。
【００１１】
また、除湿モードの際、圧縮機６によって圧縮された高温／高圧の冷媒は、四方弁５を通して室外熱交換機３に流入し、室外ファン４は低速回転するため、高温／高圧の冷媒は殆ど冷却されない状態で二方弁１を通してそのまま室内熱交換機８に流入する。
【００１２】
次いで、第１熱交換機８−１は、高圧の液体とガスとが混合された冷気を吸入して熱を放出させることで高圧の液体を吐出し、第２熱交換機８−４は、第１熱交換機８−１から吐出される高圧の液体を膨脹装置８−２によって低圧の液体で吸入し、これを蒸発させて液体成分のない低温／低圧の冷媒を吐出す。このとき、室内ファン７によって吸入された室内空気が、第２熱交換機８−４の冷たくなった表面を通過しながら熱交換されて湿気が除去された後、この湿気が除去された乾燥空気は、第１熱交換機８−１の熱くなった表面を通過しながら加熱されて室内に噴出される。
【００１３】
【発明が解決しようとする課題】
然るに、このような従来の空気調和機においては、マルチ空気調和機の設置者が、マルチ空気調和機を該当する設置場所に設置した後、空気調和機を動作させるために３相交流電源を空気調和機に供給するとき、３相交流電源の端子と空気調和機の電源端子とが正常でない状態に接続される場合が生じて、空気調和機の圧縮機６が正常に駆動されない場合があるという不都合な点があった。即ち、従来の空気調和機においては、設置者が３相交流電源のＲ、Ｓ及びＴ相端子を正確に区別することが難しく、３相交流電源の端子と空気調和機の電源端子とを正常でない状態に接続する場合は、逆相（ａｎｔｉｐｈａｓｅ）又は欠相（ｏｐｅｎ−ｐｈａｓｅ）が発生するという不都合な点があった。
【００１４】
また、３相交流電源の端子と空気調和機の電源端子との正常でない状態での接続によって逆相又は欠相が発生すると、空気調和機の制御装置が損傷して空気調和機を駆動できなくなるという不都合な点もあった。
【００１５】
即ち、従来の空気調和機は、マルチ空気調和機を設置する設置者が３相交流電源を空気調和機に供給するとき、３相交流電源の端子のＲ、Ｓ及びＴ相端子を正確に区別することが難しいという不都合な点があった。
【００１６】
また、従来の空気調和機においては、設置者が３相交流電源を空気調和機に供給する際、３相交流電源の端子と空気調和機の電源端子とを正常でない状態に接続すると、空気調和機の圧縮機が正常に駆動されない場合があるという不都合な点もあった。
【００１７】
また、従来の空気調和機においては、設置者が３相交流電源の端子と空気調和機の電源端子とを正常でない状態に接続すると、逆相又は欠相が発生して空気調和機の制御装置が損傷するという不都合な点もあった。
【００１８】
従って、本発明は、このような従来の課題に鑑みてなされたものであって、空気調和機に３相交流電源を正常に供給して、上記のような空気調和機の非正常的な駆動を防止することにより、空気調和機の信頼性を向上させ得る位相状態検出装置及びその方法を提供することを目的とする。
【００１９】
また、本発明の他の目的は、空気調和機に供給される３相交流電源の位相状態（逆相及び欠相）を検出し、その検出された位相状態を表示して空気調和機の非正常的な駆動を防止することにより、空気調和機の信頼性を向上させ得る位相状態検出装置及びその方法を提供することにある。
【００２０】
【課題を解決するための手段】
このような目的を達成するため、本発明に係る位相状態（逆相／欠相）検出装置は、３相交流電源の第１、第２及び第３位相を夫々検出する位相検出部と、前記検出された第１、第２及び第３位相中、前記第３位相に対応するパルスの下降エッジ（ｆａｌｌｉｎｇ　ｅｄｇｅ）を検出して該下降エッジが検出される時、前記第３位相によってインタラプトが発生されたと認識してカウント信号を発生するインタラプト検出部と、前記カウント信号により、前記インタラプトが発生した第３位相を基準に前記第１及び第２位相に対応するパルス信号をカウントするカウンタ部と、該カウンタ部によってカウントされた第１及び第２位相に対応するパルス信号に基づいて”正常結線（ｎｏｒｍａｌ　ｃｏｎｎｅｃｔｉｏｎ）”状態又は”逆相”状態を検出し、前記インタラプトをカウントした回数に基づいて”欠相”状態を検出する逆相／欠相検出部と、前記逆相／欠相検出部の出力信号により、前記の”逆相”状態又は”欠相”状態を示すエラーメッセージを画面上に表示すると共に、前記”正常結線”状態を示す正常メッセージも画面上に表示する表示部と、から構成される。
【００２１】
また、前記の目的を達成するため、本発明に係る位相状態（逆相／欠相）検出方法においては、３相交流電源の第１、第２及び第３位相を検出する段階と、それらの第１、第２及び第３位相中、第３位相に対応するパルス信号の下降エッジを検出して、該下降エッジが検出されるとインタラプトが発生されたと認識する段階と、前記第３位相によってインタラプトが発生する時、前記第１及び第２位相に対応するパルスを読む（ｒｅａｄｉｎｇ）段階と、前記インタラプトが発生した第３位相を基準に第１及び第２位相に対応するパルス信号に基づいて”正常結線”又は”逆相”状態を判断し、前記インタラプトをカウントした回数に基づいて”欠相”状態を判断する段階と、前記”逆相”、”欠相”及び”正常結線”状態を示すメッセージを画面上に表示する段階と、を順次行う。
【００２２】
【発明の実施の形態】
図１は本発明に係る位相状態検出装置の実施形態として、マルチ空気調和機の逆相／欠相検出装置を示したブロック図で、図示されたように、本発明に係る位相状態検出装置の実施形態においては、位相状態検出装置は、３相交流電源供給部２０から出力される３相交流電源のＲ相の位相（Ｒ位相、即ち第１位相）、Ｓ相の位相（Ｓ位相、即ち第２位相）及びＴ相の位相（Ｔ位相、即ち第３位相）を夫々検出し、この検出した位相が正常でないときマルチ空気調和機の全ての装置の動作を停止させるため、上記の３相交流電源を遮断する位相検出部２１と、検出された上記のＲ位相、Ｓ位相及びＴ位相中のいずれか一つの位相（例えば、Ｔ位相）に対応するパルス信号の下降エッジを検出して、この下降エッジが検出される毎にインタラプトが発生されたと認識した後、カウント信号を発生するインタラプト検出部２３と、上記のカウント信号により、インタラプトが発生した第３位相（Ｔ位相）を基準に第１位相（Ｒ位相）及び第２位相（Ｓ位相）に対応するパルス信号をカウントするカウンタ部２２と、カウンタ部２２によってカウントされた第１位相（Ｒ位相）、第２位相（Ｓ位相）に対応するパルス信号が、インタラプタが発生したときにそれぞれ予め定められたハイ（ｈｉｇｈ）、ロー（ｌｏｗ）の順に予め決定された回数（例えば、’１０’回）以上入力されると（即ち、インタラプタが発生した時点でＲ位相及びＳ位相に対応するパルス信号が１０周期（ｐｅｒｉｏｄ）以上それぞれハイ、ローとなると）、”正常結線（ｎｏｒｍａｌ　ｃｏｎｎｅｃｔｉｏｎ）”状態と判断し、また、第１及び第２位相（Ｒ相及びＳ相）のパルス信号がインタラプトが発生した時点でそれぞれロー、ハイの順に予め決定された回数（例えば、’１０’回）以上入力されるか、又はハイ、ハイの順に入力されると、”逆相”と判断し、また、上記のインタラプトをカウントした回数が予め決定された回数（例えば、’１０’回）未満であると、”欠相”と判断し、それらの”逆相”又は”欠相”状態のときに、上記の３相交流電源を遮断する遮断信号を発生する逆相／欠相検出部２４と、逆相／欠相検出部２４の表示信号により、上記の”逆相”状態又は”欠相”状態を夫々示すエラーメッセージを画面上に表示し、又は上記の”正常結線”状態を示す正常メッセージを画面上に表示するエラー又は正常状態表示部２５と、から構成される。
【００２３】
ここで、上記の３相交流電源は、三つの単相交流（ｓｉｎｇｌｅ−ｐｈａｓｅ　ａｌｔｅｒｎａｔｉｎｇｃｕｒｒｅｎｔ）（Ｒ相、Ｓ相及びＴ相）から構成され、この三つの単相交流は、電圧、電流の周波数及び振幅が夫々同様で、相互に１２０゜の位相差を有する。また、上記の、３相交流電源のＲ位相、Ｓ位相、Ｔ位相に対応するパルス信号のハイ、ローは、上記の３相交流電源の相をパルス信号に変換し、この変換されたパルス信号のハイ記号、ロー記号を表す。また、上記の”正常結線”とは、３相交流電源の端子とマルチ空気調和機の電源入力端子２６とが正常に接続された状態を示し、”逆相”とは、３相交流電源の端子とマルチ空気調和機の電源端子２６とが正常でない状態に接続された状態のうち、３相交流電源のＲ、Ｓ及びＴ相端子が相互に入れ替ってマルチ空気調和機の電源端子２６と接続された状態を示す。また、”欠相”とは、３相交流電源の端子のいずれか一つ以上の端子がマルチ空気調和機の電源端子２６と接続されず、３相交流電源がマルチ空気調和機に正常に供給されない状態を示すものである（これは例えば、接触不良などによる）。
【００２４】
以下、上記のインタラプトの処理過程について、図２を参照して詳しく説明する。
【００２５】
図２は上記のインタラプトの処理過程と、逆相、欠相及び正常結線状態を判断するための望ましい回数の２５０回まで３つの相に対応するパルス信号をカウントした後、カウンタ部を初期化する過程を示したフローチャートである。図示されたように、まず、位相検出部２１は、３相交流電源のＲ相、Ｓ相及びＴ相の各位相（Ｒ位相、Ｓ位相、Ｔ位相）を夫々検出し、インタラプト検出部２３は、上記の検出されたＲ位相、Ｓ位相及びＴ位相中のいずれか一つの位相（例えば、Ｔ位相）に対応するパルス信号の下降エッジを検出して、この下降エッジが１回検出されると、それに対応してインタラプトが１回発生したと認識した後、カウント信号をカウンタ部２２に出力する。ここでＴ位相のパルス信号の下降エッジとはＴ位相に対応するパルス信号のロー信号になる下降エッジである。
【００２６】
次いで、カウンタ部２２は、インタラプト検出部２３から出力されたカウント信号に基づいて、上記のＴ位相に対応するパルス信号の下降エッジをカウントして、そのカウント結果を逆相／欠相検出部２４に出力する。上記のＴ位相の下降エッジをカウントした回数が’２５０’以下である間（Ｓ３１のＹｅｓ）、カウンタ部２２はＴ位相の下降エッジを順次カウントする。即ち、カウンタ部２２は、Ｔ位相のパルス信号の下降エッジが１回発生する度毎に、カウント回数を１回ずつ’２５０’回になるまで順次増加させる（Ｓ３２）。
【００２７】
一方、上記のＲ位相及びＳ位相の位相検出部２１への入力信号が正常でないと（即ち、Ｒ位相のパルス信号が’ハイ’で、かつ、Ｓ位相のパルス信号が’ロー’でないとき）、カウンタ部２２によってカウントされた回数をゼロ（ｚｅｒｏ）とし、Ｒ位相及びＳ位相の入力信号が正常であると（即ち、Ｒ位相のパルス信号が’ハイ’で、かつ、Ｓ位相のパルス信号が’ロー’のとき）、上記のカウントした回数が’２５０’以下であるかを判断し、そのカウントした回数が’２５０’以下であると、Ｒ位相及びＳ位相の下降エッジを順次カウントする。即ち、カウンタ部２２は、Ｒ位相及びＳ位相の下降エッジが１回発生する度毎に、カウント回数を１回ずつ’２５０’回になるまで順次増加させる（Ｓ３３〜Ｓ３６）。
【００２８】
図３、図４は本発明に係るマルチ空気調和機の逆相／欠相を検出する方法を示したフローチャートで、図示されたように、マルチ空気調和機の逆相／欠相を検出する方法は、３相交流電源のＲ、Ｓ、Ｔの各相の位相、即ちＲ位相（第１位相）、Ｓ位相（第２位相）及びＴ位相（第３位相）を検出する段階と、このＲ位相、Ｓ位相及びＴ位相中のいずれか一つの位相（３相交流を構成する単相交流の一つの位相、例えば、Ｔ位相）に対応するパルス信号の下降エッジを検出して、この下降エッジが１回検出されるとインタラプトが１回発生されたと認識する段階と、上記の第３位相（Ｔ位相）によってインタラプトが発生するとき、第１位相（Ｒ位相）及び第２位相（Ｓ位相）に対応するパルス信号を読む（ｒｅａｄｉｎｇ）段階と、第３位相（Ｔ位相）のインタラプトが発生した時点での上記の第１位相（Ｒ位相）及び第２位相（Ｓ位相）に対応するパルス信号がそれぞれハイ、ローの順に’１０’回以上出力されると（Ｒ位相及びＳ位相に対応するパルス信号が１０周期（ｐｅｒｉｏｄ）以上それぞれハイ、ローの順に出力されると）、”正常結線”と判断し、上記の第１及び第２位相（Ｒ相及びＳ相）のパルス信号がそれぞれロー、ハイの順に’１０’回以上出力されるか、又はハイ、ハイの順に出力されると、”逆相”と判断する段階と、上記のインタラプトの発生回数をカウントし、このインタラプトをカウントした回数が’１０’回未満であると、”欠相”と判断する段階と、上記の”逆相”又は”欠相”と判断されると、マルチ空気調和機の全ての装置の動作を停止させた後、”逆相／欠相”状態を示すエラーメッセージを画面上に表示し、あるいは”正常結線”と判断されると”正常結線”状態を示す正常メッセージを画面上に表示する段階と、を順次行うようになっている。
【００２９】
以下、本発明に係るマルチ空気調和機の逆相／欠相を検出する方法について、図１乃至図３、図４に基づいて説明する。
【００３０】
まず、位相検出部２１は、Ｔ位相（第３位相）によってインタラプトが発生すると、その時点でのＲ位相（第１位相）及びＳ位相（第２位相）を夫々読む。即ち、図３に示されているように、逆相／欠相検出部２４は、位相検出部２１によって読まれたＲ位相に対応するパルス信号が’ハイ’であり（Ｓ４１のＹＥＳ）、Ｒ位相に対応するパルス信号のハイ信号をカウントした回数が’２５０’以下であると（Ｓ４２のＹＥＳ）、Ｒ位相に対応するパルス信号のハイ信号をカウンタ部２２によって順次カウントして’１回ずつ’増加させ（Ｓ４３）、Ｒ位相に対応するパルス信号のハイ信号をカウントした回数が’２５０’を越えると（Ｓ４２のＮＯ）、Ｒ位相に対応するパルス信号のロー信号をカウントした回数をゼロ（ｚｅｒｏ）にする（Ｓ４４）。ここで、逆相／欠相検出部２４は、Ｒ位相に対応するパルス信号のロー信号をカウントした回数をゼロ（ｚｅｒｏ）にするために、Ｒ位相に対応するパルス信号のロー信号をカウントするカウンタ部２２が初期化される。
【００３１】
反面、逆相／欠相検出部２４は、上記の読まれたＲ位相に対応するパルス信号が’ロー’で（Ｓ４１のＮＯ）、かつ、Ｒ位相のパルス信号のロー信号をカウントした回数が’２５０’以下であると（Ｓ４９のＹＥＳ）、Ｒ位相に対応するパルス信号のロー信号をカウンタ部２２によって順次カウントして’１回ずつ’増加させ（Ｓ５０）、Ｒ位相に対応するパルス信号のロー信号をカウントした回数が’２５０’を越えると（Ｓ４９のＮＯ）、Ｒ位相に対応するパルス信号のハイ信号をカウントした回数をゼロ（ｚｅｒｏ）にする（Ｓ５１）。ここで、逆相／欠相検出部２４は、Ｒ位相に対応するパルス信号のハイ信号をカウントした回数をゼロ（ｚｅｒｏ）にするために、Ｒ位相に対応するパルス信号のハイ信号をカウントするカウンタ部２２が初期化される。
【００３２】
次いで、逆相／欠相検出部２４は、上記の読まれたＳ位相に対応するパルス信号が’ハイ’信号であるかを判断し（Ｓ４５）、逆相／欠相検出部２４は、Ｓ位相に対応するパルス信号が’ハイ’で（Ｓ４５のＹＥＳ）、Ｓ位相に対応するパルス信号のハイ信号をカウントした回数が’２５０’以下であると（Ｓ４６のＹＥＳ）、Ｓ位相に対応するパルス信号のハイ信号をカウンタ部２２によって順次カウントして’１回ずつ’増加させ（Ｓ４７）、Ｓ位相に対応するパルス信号のハイ信号をカウントした回数が’２５０’を越えると（Ｓ４６のＮＯ）、Ｓ位相に対応するパルス信号のロー信号をカウントした回数をゼロにする（Ｓ４８）。ここで、逆相／欠相検出部２４は、Ｓ位相に対応するパルス信号のロー信号をカウントした回数をゼロ（ｚｅｒｏ）にするために、Ｓ位相に対応するパルス信号のロー信号をカウントするカウンタ部２２が初期化される。
【００３３】
反面、逆相／欠相検出部２４は、上記の読まれたＳ位相に対応するパルス信号が’ロー’で（Ｓ４５のＮＯ）、Ｓ位相に対応するパルス信号のロー信号をカウントした回数が’２５０’以下であると（Ｓ５２のＹＥＳ）、Ｓ位相に対応するパルス信号のロー信号をカウンタ部２２によって順次カウントして’１回ずつ’増加させ　（Ｓ５３）、Ｓ位相に対応するパルス信号のロー信号をカウントした回数が’２５０’を越えると（Ｓ５２のＮＯ）、Ｓ位相に対応するパルス信号のハイ信号をカウントした回数をゼロにする（Ｓ５４）。ここで、逆相／欠相検出部２４は、Ｓ位相に対応するパルス信号のハイ信号をカウントした回数をゼロ（ｚｅｒｏ）にするために、Ｓ位相に対応するパルス信号のハイ信号をカウントするカウンタ部２２が初期化される。
【００３４】
次いで、逆相／欠相検出部２４は、第３位相（Ｔ位相）のインタラプトが発生した時点での第１及び第２位相のパルス信号がそれぞれハイ、ローの順に’１０’回以上出力されると、”正常結線”と判断し、上記のインタラプトが発生した時点で第１及び第２位相のパルス信号がそれぞれロー、ハイの順に出力されるか、又はハイ、ハイ順に出力されると、”逆相”と判断する。
【００３５】
上記のように、第３位相によってインタラプトが発生すると、その時点で図３のフローチャートのＳ４１、Ｓ４５の判断が行われ、これらの判断結果に基づいて正常結線、逆相の判断を行い、また図４に示されているように、インタラプトの発生回数及び、Ｒ相及びＳ相のパルス信号のカウント数に基づいて逆相状態であるか、欠相状態であるかを判断する。
【００３６】
即ち、逆相／欠相検出部２４は、第３位相（Ｔ位相）によって発生したインタラプトをカウントした回数が’１０’回以下であると、”逆相”と判断する（Ｓ５５のＹＥＳ）。反面、逆相／欠相検出部２４は、上記のインタラプトをカウントした回数が’１０’回以上で、かつ、第１及び第２位相のパルス信号がインタラプタが発生した時点でハイ、ローの順に出力される回数が’１０’回以下であると、”逆相”と判断する（Ｓ５６のＹＥＳ）。ここで、逆相／欠相検出部２４は、カウンタ部２２によってカウントされた上記のインタラプトの発生回数が’１０’回未満であると、”欠相”と判断する。
【００３７】
なお、逆相／欠相検出部２４は、Ｒ位相に対応するパルス信号のハイ信号をカウントした回数が’５０’回以上であると、”欠相”と判断し（Ｓ５７のＹＥＳ）、Ｒ位相に対応するパルス信号のハイ信号をカウントした回数が’５０’以下で（Ｓ５７のＮＯ）、かつ、Ｒ位相に対応するパルス信号のロー信号をカウントした回数が’５０’以上であると、”欠相”と判断する（Ｓ５８のＹＥＳ）。
【００３８】
逆相／欠相検出部２４は、Ｓ位相に対応するパルス信号のハイ信号をカウントした回数が’５０’回以上であると、”欠相”と判断し（Ｓ５９のＹＥＳ）、Ｓ位相に対応するパルス信号のハイ信号をカウントした回数が’５０’回以下で、Ｓ位相に対応するパルス信号のロー信号をカウントした回数が’５０’回以上であると、”欠相”と判断する（Ｓ６０のＹＥＳ）。
【００３９】
即ち、逆相状態、欠相状態及び正常結線状態を判断するための望ましいパルス信号のカウント数は２５０回であるので、相に対応するパルス信号のハイ信号又はロー信号を２５０回までカウントした後、図４に示したように、このカウントされた２５０回中、Ｒ相及びＳ相のパルス信号がロー、ハイの順に、又はハイ、ハイの順に、１０回又は５０回カウントされると、逆相状態又は欠相状態と判断する。
【００４０】
次いで、逆相／欠相検出部２４は、”逆相”又は”欠相”と判断されると、空気調和機の全ての装置の動作を停止させるための遮断信号を位相検出部２１に出力するが、このとき、位相検出部２１は、上記の遮断信号に基づいて３相電源供給部２０から出力される３相交流電源を遮断する。また、逆相／欠相検出部２４は、”逆相”又は”欠相”と判断されるとき、逆相又は欠相状態を表示するための表示信号をエラー又は正常状態表示部２５に出力し、このとき、エラー又は正常状態表示部２５は、上記の表示信号に基づいて逆相、欠相又は正常結線状態を示すメッセージを画面上に表示する（Ｓ６１、Ｓ６２）。
【００４１】
また、逆相又は欠相状態は、ＬＥＤのような表示装置によって表示され、例えば、ＬＥＤの点滅回数によって正常結線状態、逆相状態及び欠相状態を表示することができる。
【００４２】
【発明の効果】
以上、説明したように、本発明に係る位相状態検出装置及びその方法においては、例えば、マルチ空気調和機に３相交流電源を供給する時、逆相及び欠相状態を設置者に知らせることにより、マルチ空気調和機の非正常的な駆動を防止することができると共に、空気調和機の信頼性を向上し得るという効果がある。
【００４３】
また、マルチ空気調和機に３相交流電源を供給する時、逆相及び欠相状態を設置者に知らせることにより、設置者が３相交流電源の端子のＲ、Ｓ及びＴ相端子を夫々正確に区別し、３相交流電源の端子と空気調和機の電源端子とを正常に接続し得るという効果がある。
【００４４】
また、本発明に係る位相状態検出装置及びその方法においては、表示部によって設置者に逆相／欠相状態を知らせることにより、設置者が３相交流電源の端子と空気調和機の電源端子とを正常に接続することができるために空気調和機の圧縮機を正常に駆動し得るという効果がある。
【００４５】
更に、本発明に係る位相状態検出装置及びその方法においては、表示部によって設置者に逆相／欠相状態を知らせることにより、逆相又は欠相した状態で運転することを防止できるため、空気調和機の制御装置が損傷することなく、空気調和機を正常に駆動し得るという効果がある。
【図面の簡単な説明】
【図１】本発明に係る位相状態検出装置の実施形態として空気調和機の逆相／欠相検出装置を示したブロック図である。
【図２】図１のインタラプト処理過程を示したフローチャートである。
【図３】本発明に係るマルチ空気調和機の逆相／欠相を検出する方法を示したフローチャート（その１）である。
【図４】本発明に係るマルチ空気調和機の逆相／欠相を検出する方法を示したフローチャート（その２）である。
【図５】従来の空気調和機の構成を示した概略ブロック図である。
【符号の説明】
２０…３相交流電源供給部
２１…位相検出部
２２…カウンタ部
２３…インタラプト検出部
２４…逆相／欠相検出部
２５…エラー又は正常状態表示部
２６…マルチ空気調和機の電源入力端子
【図１】
2004138600.tif 000003
【図２】
2004138600.tif 000004
【図３】
2004138600.tif 000005
【図４】
2004138600.tif 000006
【図５】
2004138600.tif 000007